(57)【特許請求の範囲】
【請求項１】
フィルタリング情報を取得するステップと、
表示ページをトリガーして新たな情報をディスプレイするための第１命令を受信し、前記第１命令によりディスプレイ待機情報を特定するステップと、
前記ディスプレイ待機情報中の１番目の情報を目標情報として特定し、前記目標情報がフィルタリング情報であるかどうかを判断するステップと、
前記目標情報がフィルタリング情報であると判断した場合、前記目標情報を前記表示ページからスライドアウトさせるステップと、を含み、
前記目標情報がフィルタリング情報であると判断した場合、前記目標情報を表示ページからスライドアウトさせるステップは、
前記目標情報がフィルタリング情報であり、且つ前記第１命令が表示ページを上方スライドするものと判断されると、前記目標情報を前記表示ページから上方スライドアウトさせるステップと、
前記目標情報がフィルタリング情報であり、且つ前記第１命令が表示ページを下方スライドするものと判断されると、前記目標情報を前記表示ページから下方スライドアウトさせるステップと、を含む
ことを特徴とする情報表示方法。
【請求項２】
前記ディスプレイ待機情報中の２番目の情報を目標情報に変更し、前記目標情報がフィルタリング情報であるかどうかを判断する操作を返して実行するが、前記目標情報がフィルタリング情報でないときまで判断して、目標情報を前記表示ページにディスプレイするステップをさらに含むことを特徴とする請求項１に記載の情報表示方法。
【請求項３】
前記フィルタリング情報を取得するステップは、
現在の表示ページの表示情報上で所定の操作を実行したと認識された場合、前記表示情報をフィルタリング情報として特定するステップを含むことを特徴とする請求項１に記載の情報表示方法。
【請求項４】
前記フィルタリング情報を取得するステップは、
各所定のタイプの情報に対するユーザのリーディング回数またはリーディング時間を統計するステップと、
前記リーディング回数またはリーディング時間が所定の閾値以下であるタイプの情報をフィルタリング情報とするステップと、を含むことを特徴とする請求項１に記載の情報表示方法。
【請求項５】
前記表示情報をフィルタリング情報として特定するステップは、
前記表示情報の標識を所定のフィルタリング情報リストに保存するステップを含むことを特徴とする請求項３又は請求項４に記載の情報表示方法。
【請求項６】
前記所定の操作は、
所定の閾値を超える時間で表示情報に留まること、所定のキーをクリックすること、および、所定の軌跡に沿ってスライドすることのうちの少なくとも一つを含むことを特徴とする請求項３に記載の情報表示方法。
【請求項７】
前記目標情報を前記表示ページからスライドアウトさせた後、
前記表示ページをトリガーして新たな情報をディスプレイするための第２命令を受信するステップと、
前記第２命令における表示ページのスライド方向が前記第１命令における表示ページのスライド方向と反対されるかどうかを判断するステップと、
前記第２命令における表示ページのスライド方向が前記第１命令における表示ページのスライド方向と反対になると判断した場合、前記第２命令と前記第１命令間の時間差が所定の閾値内にあるかどうかを判断するステップと、
前記第２命令と前記第１命令間の時間差が所定の閾値内にあると判断されれば、表示ページに前記目標情報を表示するステップと、を含むことを特徴とする請求項１に記載の情報表示方法。
【請求項８】
フィルタリング情報を取得するための取得モジュールと、
表示ページをトリガーして新たな情報をディスプレイするための第１命令を受信し、前記第１命令によりディスプレイ待機情報を特定するための第１受付モジュールと、
前記ディスプレイ待機情報中の１番目の情報を目標情報として特定するための配置モジュールと、
前記目標情報がフィルタリング情報であるかどうかを判断し、前記目標情報がフィルタリング情報であると判断した場合、フィルタリングモジュールをトリガーするための第１判断モジュールと、
前記目標情報を前記表示ページからスライドアウトさせるためのフィルタリングモジュールと、を含み、
前記フィルタリングモジュールは、
前記目標情報がフィルタリング情報であり、且つ前記第１命令が表示ページを上方スライドするものと判断されると、前記目標情報を前記表示ページから上方スライドアウトさせ、
前記目標情報がフィルタリング情報であり、且つ前記第１命令が表示ページを下方スライドするものと判断されると、前記目標情報を前記表示ページから下方スライドアウトさせるように構成される
ことを特徴とする情報表示装置。
【請求項９】
前記配置モジュールは、
前記ディスプレイ待機情報中の２番目の情報を目標情報に変更し、前記目標情報がフィルタリング情報であるかどうかを判断する操作を返して実行するが、前記目標情報がフィルタリング情報でないときまで判断して、目標情報を前記表示ページにディスプレイするように構成されることを特徴とする請求項８に記載の情報表示装置。
【請求項１０】
前記取得モジュールは、
現在の表示ページの表示情報上で所定の操作を実行したと認識された場合、前記表示情報をフィルタリング情報として特定するように構成されることを特徴とする請求項８に記載の情報表示装置。
【請求項１１】
前記取得モジュールは、
各所定のタイプの情報に対するユーザのリーディング回数またはリーディング時間を統計し、
前記リーディング回数またはリーディング時間が所定の閾値以下であるタイプの情報をフィルタリング情報とするように構成されることを特徴とする請求項８に記載の情報表示装置。
【請求項１２】
前記配置モジュールは、
前記表示情報の標識を所定のフィルタリング情報リストに保存するように構成されることを特徴とする請求項１０又は請求項１１に記載の情報表示装置。
【請求項１３】
前記所定の操作は、
所定の閾値を超える時間で表示情報に留まること、所定のキーをクリックすること、所定の軌跡に沿ってスライドすることのうちの少なくとも一つを含むことを特徴とする請求項１０に記載の情報表示装置。
【請求項１４】
第２判断モジュールをさらに含み、
前記第２判断モジュールは、
前記表示ページをトリガーして新たな情報をディスプレイするための第２命令を受信し、
前記第２命令における表示ページのスライド方向が前記第１命令における表示ページのスライド方向と反対されるかどうかを判断し、
前記第２命令における表示ページのスライド方向が前記第１命令における表示ページのスライド方向と反対になると判断した場合、前記第２命令と前記第１命令間の時間差が所定の閾値内にあるかどうかを判断し、
前記第２命令と前記第１命令間の時間差が所定の閾値内にあると判断されれば、表示ページに前記目標情報を表示するように構成されることを特徴とする請求項８に記載の情報表示装置。
【請求項１５】
プロセッサと、
前記プロセッサの実行可能な命令を記憶するためのメモリと、を備え、
前記プロセッサは、
フィルタリング情報を取得し、
表示ページをトリガーして新たな情報をディスプレイするための第１命令を受信し、前記第１命令によりディスプレイ待機情報を特定し、
前記ディスプレイ待機情報中の１番目の情報を目標情報として特定し、前記目標情報がフィルタリング情報であるかどうかを判断し、
前記目標情報がフィルタリング情報であると判断した場合、前記目標情報を前記表示ページからスライドアウトさせるように構成され、
前記目標情報がフィルタリング情報であると判断した場合、前記目標情報を表示ページからスライドアウトさせることは、
前記目標情報がフィルタリング情報であり、且つ前記第１命令が表示ページを上方スライドするものと判断されると、前記目標情報を前記表示ページから上方スライドアウトさせることと、
前記目標情報がフィルタリング情報であり、且つ前記第１命令が表示ページを下方スライドするものと判断されると、前記目標情報を前記表示ページから下方スライドアウトさせることとを含む
ことを特徴とする情報表示装置。
【請求項１６】
プロセッサに実行されることにより、請求項１から請求項７のいずれか１項に記載の情報表示方法を実現することを特徴とするプログラム。
【請求項１７】
請求項１６に記載のプログラムが記録された記録媒体。
【発明の詳細な説明】
【技術分野】
【０００１】
本発明は、表示技術分野に関し、特に情報表示の方法、装置、プログラム及び記録媒体に関する。
【背景技術】
【０００２】
科学技術の急速な発展とともに、様々な端末のユーザがますます多くなっている。端末のユーザは端末を通じて情報を取得し、例えば、ミニブログ、ウィチャットを通じて関連情報を取得する。
【０００３】
もし、ある情報の内容が非常に面白いと思われると非常に多くの人たちによって伝達され、これでユーザは、異なる時間に異なる人が伝達する同一の情報の内容を見られるようになる。一方、ウィチャット(Wechat)のモーメントで多くの人たちがマイクロビジネスを進めながら、よく商品関連の広報内容を載せたりするが、友人関係を遠慮して、これらをモーメントで遮蔽したり又はこれらのモーメントについて見ないことを選択できなくなる。
【発明の概要】
【０００４】
本発明の実施例に係る第１様態によって提供する情報表示方法は、
フィルタリング情報を取得するステップと、
表示ページをトリガーして新たな情報をディスプレイするための第１命令を受信し、前記第１命令によりディスプレイ待機情報を特定するステップと、
前記ディスプレイ待機情報中の１番目の情報を目標情報として特定し、前記目標情報がフィルタリング情報であるかどうかを判断するステップと、
前記目標情報がフィルタリング情報であると判断した場合、前記目標情報を前記表示ページからスライドアウトさせるステップと、を含む。
【０００５】
選択可能な実施形態として、上記のような情報表示方法は、
前記ディスプレイ待機情報中の２番目の情報を目標情報に変更し、前記目標情報がフィルタリング情報であるかどうかを判断する操作を返して実行するが、前記目標情報がフィルタリング情報でないときまで判断して、目標情報を前記表示ページにディスプレイするステップをさらに含む。
【０００６】
選択可能な実施形態として、上記のような情報表示方法において、前記フィルタリング情報を取得するステップは、
現在の表示ページの表示情報上で所定の操作を実行したと認識された場合、前記表示情報をフィルタリング情報として特定するステップを含む。
【０００７】
選択可能な実施形態として、上記のような情報表示方法において、前記フィルタリング情報を取得するステップは、
各所定のタイプの情報に対するユーザのリーディング回数またはリーディング時間を統計するステップと、
前記リーディング回数またはリーディング時間が所定の閾値以下であるタイプの情報をフィルタリング情報とするステップと、を含む。
【０００８】
選択可能な実施形態として、上記のような情報表示方法において、前記表示情報をフィルタリング情報として特定するステップは、
前記表示情報の標識を所定のフィルタリング情報リストに保存するステップを含む。
【０００９】
選択可能な実施形態として、上記のような情報表示方法において、前記所定の操作は、
所定の閾値を超える時間で表示情報に留まること、所定のキーをクリックすること、所定の軌跡に沿ってスライドすることのうちの少なくとも一つを含む。
【００１０】
選択可能な実施形態として、上記のような情報表示方法において、前記目標情報がフィルタリング情報であると判断した場合、前記目標情報を表示ページからスライドアウトさせるステップは、
前記目標情報がフィルタリング情報であり、且つ前記第１命令が表示ページを上方スライドするものと判断されると、前記目標情報を前記表示ページから上方スライドアウトさせるステップと、
前記目標情報がフィルタリング情報であり、且つ前記第１命令が表示ページを下方スライドするものと判断されると、前記目標情報を前記表示ページから下方スライドアウトさせるステップと、を含む。
【００１１】
選択可能な実施形態として、上記のような情報表示方法において、前記目標情報を前記表示ページからスライドアウトさせた後、
前記表示ページをトリガーして新たな情報をディスプレイするための第２命令を受信するステップと、
前記第２命令における表示ページのスライド方向が前記第１命令における表示ページのスライド方向と反対されるかどうかを判断するステップと、
前記第２命令における表示ページのスライド方向が前記第１命令における表示ページのスライド方向と反対になると判断した場合、前記第２命令と前記第１命令間の時間差が所定の閾値内にあるかどうかを判断するステップと、
前記第２命令と前記第１命令間の時間差が所定の閾値内にあると判断されれば、表示ページに前記目標情報を表示するステップと、を含む。
【００１２】
本発明の実施例に係る第２様態によって提供する情報表示装置は、
フィルタリング情報を取得するための取得モジュールと、
表示ページをトリガーして新たな情報をディスプレイするための第１命令を受信し、前記第１命令によりディスプレイ待機情報を特定するための第１受付モジュールと、
前記ディスプレイ待機情報中の１番目の情報を目標情報として特定するための配置モジュールと、
前記目標情報がフィルタリング情報であるかどうかを判断し、前記目標情報がフィルタリング情報であると判断した場合、フィルタリングモジュールをトリガーするための第１判断モジュールと、
前記目標情報を前記表示ページからスライドアウトさせるためのフィルタリングモジュールと、を含む。
【００１３】
選択可能な実施形態として、上記のような情報表示装置において、前記配置モジュールは、
前記ディスプレイ待機情報中の２番目の情報を目標情報に変更し、前記目標情報がフィルタリング情報であるかどうかを判断する操作を返して実行するが、前記目標情報がフィルタリング情報でないときまで判断して、目標情報を前記表示ページにディスプレイするように構成される。
【００１４】
選択可能な実施形態として、上記のような情報表示装置において、前記取得モジュールは、
現在の表示ページの表示情報上で所定の操作を実行したと認識された場合、前記表示情報をフィルタリング情報として特定するように構成される。
【００１５】
選択可能な実施形態として、上記のような情報表示装置において、前記取得モジュールは、
各所定のタイプの情報に対するユーザのリーディング回数またはリーディング時間を統計し、
前記リーディング回数またはリーディング時間が所定の閾値以下であるタイプの情報をフィルタリング情報とするように構成される。
【００１６】
選択可能な実施形態として、上記のような情報表示装置において、前記配置モジュールは、
前記表示情報の標識を所定のフィルタリング情報リストに保存するように構成される。
【００１７】
選択可能な実施形態として、上記のような情報表示装置において、前記所定の操作は、
所定の閾値を超える時間で表示情報に留まること、所定のキーをクリックすること、所定の軌跡に沿ってスライドすることのうちの少なくとも一つを含む。
【００１８】
選択可能な実施形態として、上記のような情報表示装置において、前記フィルタリングモジュールは、
前記目標情報がフィルタリング情報であり、且つ前記第１命令が表示ページを上方スライドするものと判断されると、前記目標情報を前記表示ページから上方スライドアウトさせ、
前記目標情報がフィルタリング情報であり、且つ前記第１命令が表示ページを下方スライドするものと判断されると、前記目標情報を前記表示ページから下方スライドアウトさせるように構成される。
【００１９】
本発明の実施例に係る第３様態によって提供する情報表示装置は、
プロセッサと、
前記プロセッサの実行可能な命令を記憶するためのメモリと、を備え、
前記プロセッサは、
フィルタリング情報を取得し、
表示ページをトリガーして新たな情報をディスプレイするための第１命令を受信し、前記第１命令によりディスプレイ待機情報を特定し、
前記ディスプレイ待機情報中の１番目の情報を目標情報として特定し、前記目標情報がフィルタリング情報であるかどうかを判断し、
前記目標情報がフィルタリング情報であると判断した場合、前記目標情報を前記表示ページからスライドアウトさせるように構成される。
【００２０】
本発明の実施例に係る第４様態によれば、プロセッサに実行されることにより、本発明の実施例に係る第１態様に記載の情報表示方法を実現するプログラムを提供する。
【００２１】
本発明の実施例に係る第５様態によれば、本発明の実施例に係る第４様態に記載のプログラムが記録された記録媒体を提供する。
【００２２】
本発明の実施例により提供された技術案によれば、以下のような有益な効果が得られる。即ち、フィルタリング情報を特定することを通じて、ディスプレイ待機情報中の１番目の情報がフィルタリング情報であるの場合、１番目の情報をスクリーンから自動的にスライドアウトさせてユーザに見えないようにする。これで、ユーザが関心を持っていない内容を効果的にフィルタリングすることができ、ユーザの時間を節約できる。また、情報を遮断するのとは違い、本実施例の情報表示方法は、情報リストの漏れをもたらさない。
【００２３】
なお、上述の一般的な記載及び後述の詳細な記載は、単なる例示的で解釈であり、本発明に対する限定として見なしてはいけない。
【図面の簡単な説明】
【００２４】
以下の図面は、明細書に組み込まれて本願明細書の一部分となり、本願発明に係る実施例を示し、且つ明細書とともに、本発明の原理の説明に用いられる。
【００２５】
【図１】一つの例示的な実施例に係る情報の表示方法のフローチャートである。
【図２】もう一つの例示的な実施例に係る情報の表示方法のフローチャートである。
【図３】もう一つの例示的な実施例に係る情報の表示方法のフローチャートである。
【図４Ａ】一つの例示的な実施例に係る情報の表示方法の各ステップのページ表示の説明図である。
【図４Ｂ】一つの例示的な実施例に係る情報の表示方法の各ステップのページ表示の説明図である。
【図４Ｃ】一つの例示的な実施例に係る情報の表示方法の各ステップのページ表示の説明図である。
【図４Ｄ】一つの例示的な実施例に係る情報の表示方法の各ステップのページ表示の説明図である。
【図４Ｅ】一つの例示的な実施例に係る情報の表示方法の各ステップのページ表示の説明図である。
【図５】一つの例示的な実施例に係る情報の表示装置のブロック図である。
【図６】もう一つの例示的な実施例に係る情報の表示装置のブロック図である。
【図７】もう一つの例示的な実施例に係る情報の表示装置のブロック図である。
【発明を実施するための形態】
【００２６】
以下、図面に示されている例示的な実施例をより詳しく説明するようにする。以下の図面に関する説明において、別途の説明がない限り、異なる図面中の同一の符号は、同一又は類似する要素を示すこととする。以下の例示的実施例において説明する複数の実施形態は、本発明に係る全ての実施形態を代表するわけではない。逆に、それらは、添付された特許請求の範囲に記載の本発明の一部の態様に係る装置及び方法の例に過ぎない。
【００２７】
まず、本発明の実施例におけるいくつかの用語について、以下のように解釈する。
【００２８】
スクリーン：「画面」とも呼ばれ、映像と色彩を表示するための電気器具である。ユーザは、当該スクリーンを通じて、現在の表示ページを観覧できる。
【００２９】
新たな情報：現在の表示ページが移動された後現れた事前に表示されなかった情報として、新たな情報の内容は一つの情報又は複数の情報を含むことができる。上記一つまたは複数の情報の内容が現在ページ中のある一つまたはある複数の情報の内容と同じかどうかを問わず、上記一つまたは複数の情報自体が事前に現在のページに表示されなかったのであれば、上記一つまたは複数の情報を新たな情報と見なす。例えば、現在の表示ページに情報Aが表示されていて、表示ページがユーザによってスライドされて他の一つの情報Bを表示する場合は、上記情報Bの内容が情報Aの内容と完全に同一しても、ユーザがスライドして表示された情報Bを新たな情報のうちの一つの情報と見なす。
【００３０】
ディスプレイ待機情報：表示しようとする新たな情報。
【００３１】
図１は、一つの例示的な実施例に係る情報の表示方法のフローチャートであり、その実行の主体は、情報表示装置である。図１に示すように、本実施例に係る情報表示方法は、端末またはサーバーに適用され、以下のようなステップを含んでいる。
【００３２】
ステップS１０１において、フィルタリング情報を取得する。
【００３３】
ユーザはフィルタリング情報を自己規定でき、例えば、スクリーンの現在の表示ページで対応されるフィルタリング情報を取得する。現在の表示ページは、現在のスクリーンに表示されているページであり、現在の表示ページの各情報は、ユーザが現在のスクリーンから見られる各情報である。
【００３４】
具体的に、例示的な方法で、ユーザはマウスを通じて、現在表示ページの対応するフィルタリング情報を特定でき、もしスクリーンがタッチスクリーンであれば、ユーザはスクリーンをタッチするなどの方法を通じて表示ページ中のフィルタリング情報を特定できる。例えば、マウスが所定の閾値を超える時間で表示情報に留まること、所定のキーをクリックすること、所定の軌跡に沿ってスライドしたりなどの所定の操作を通じてフィルタリング情報を特定でき、ここで所定の軌跡に沿ってスライドするということは、例えばスクリーン上で左にスライドするか、右にスライドすることを指し、又は、スクリーンがタッチスクリーンである場合には、ユーザの指で上記マウスのような操作を実行して、フィルタリング情報を特定できるようになる。各情報はいずれも自己唯一の標識を持っており、標識を通じて、フィルタリングの情報を認識できる。つまり、標識だけ同じであれば、フィルタリング情報であることを確認できる。もちろん、新たな情報とフィルタリング情報との内容の類似性の確認を通じて、当該情報がフィルタリング情報であるかどうかを確認できる。
【００３５】
一方、上述のように、ユーザがフィルタリング情報を自己規定する方法の以外に、他の方法を通じて、情報表示装置がフィルタリング情報をセルフラーニング(self learning )できる。つまり、選択可能な形態として、各所定のタイプの情報に対するユーザのリーディング回数またはリーディング時間を統計して、リーディング回数またはリーディング時間が所定の閾値以下であるタイプの情報をフィルタリング情報と見なす。例えば、ユーザが特定タイプの情報に関心を感じず、毎回このようなタイプの情報をクリックして閲覧しないと統計された場合、このようなタイプの情報をフィルタリングの情報として定義する。具体的に、情報のタイトル又は内容又は発表者によって情報のタイプを特定できる。また、例えば、ユーザがある情報に留まる時間が所定の閾値、例えば、２秒よりも小さいと認識された場合、ユーザが当該情報に関心を持っていないことを特定して、当該情報をフィルタリング情報として見なすことができる。具体的に、実際の需要によって、フィルタリング情報を特定する方法を設定でき、ここでは、その説明を省略する。
【００３６】
ステップS１０２において、表示ページをトリガーして新たな情報をディスプレイするための第１命令を受信し、第１命令によりディスプレイ待機情報を特定する。
【００３７】
例示的な方法で、ユーザは、マウスまたはタッチスクリーンをタッチする方法を通じて、情報表示装置に新たな情報をディスプレイするようにする第１命令を発送できる。例えば、マウスのホイールを通じて現在のページを上下にスライドすることにより、新たな情報をディスプレイでき、又はユーザがタッチスクリーンをタッチして現在の表示ページを上下にスライドすることにより、新たな情報をディスプレイできる。新たな情報に含まれる情報の量は、一個または複数個になり得る。このような第１命令により表示される新たな情報はディスプレイ待機情報として特定される。
【００３８】
ステップS１０３において、ディスプレイ待機情報中の１番目の情報を目標情報として特定し、目標情報がフィルタリング情報であるかどうかを判断する。
【００３９】
例示的な方法で、第１命令によって、ディスプレイしようとする１番目の情報を目標情報として特定する。第１命令には、表示ページのスライディング距離とスライディング方向が含まれる可能性があるので、当該第１命令によって、どんな情報がディスプレイ待機情報なのかを知ることができる。具体的に、当該目標情報の標識とフィルタリング情報の標識が同一かどうかについての対比を通じて、当該目標情報がフィルタリング情報かどうかを特定する。
【００４０】
ステップS１０４において、目標情報がフィルタリング情報であると判断した場合、目標情報を表示ページからスライドアウトさせる。
【００４１】
目標情報を表示ページからスライドアウトさせるということは、表示ページに元来当然表示されるべき目標情報を表示ページから自動的に移出させることを指す。例えば、第１命令におけるユーザのページに対するスライディングの距離によると、当該目標情報は当然表示ページに表示されなければならないが、当該目標情報がフィルタリング情報であることを情報表示装置が認識した場合、ページを上方または下方に自動的にスライドして当該目標情報が表示ページから移出されるようにする。目標情報がフィルタリング情報でないことを判断した場合、第１命令によりディスプレイされるすべての新たな情報を正常に表示する。
【００４２】
選択可能な実施形態として、ステップS１０４の後、
ディスプレイ待機情報中の２番目の情報を目標情報に変更し、目標情報がフィルタリング情報であるかどうかを判断する操作を返して実行するが、目標情報がフィルタリング情報でないときまで判断して、目標情報を表示ページにディスプレイするステップをさらに含む。
【００４３】
同じ第１命令によりディスプレイされる新たな情報は、複数の情報を含めることができるので、各ディスプレイ待機情報がフィルタリング情報であるかどうかを順次判断して、フィルタリング情報でないディスプレイ待機情報を見つける際に、当該ディスプレイ待機情報を表示する。
【００４４】
本実施例の情報表示方法によると、フィルタリング情報を特定することを通じて、ディスプレイ待機情報中の１番目の情報がフィルタリング情報である場合、１番目の情報をスクリーンから自動的にスライドアウトさせてユーザに見えないようにする。これで、ユーザが関心を持っていない内容を効果的にフィルタリングすることができ、ユーザの時間を節約し、情報を遮断するのとは違い、本実施形態の情報を表示する方法は、情報リストの漏れをもたらさない。
【００４５】
図２は、もう一つの例示的な実施例に係る情報の表示方法のフローチャートであり、その実行の主体は、情報表示装置である。図２に示すように、本実施例に係る情報表示方法は、端末またはサーバーに適用され、以下のようなステップを含んでいる。
【００４６】
ステップS２０１において、現在の表示ページの対応する表示情報上で所定の操作を実行したと認識された場合、表示情報をフィルタリング情報として特定する。
【００４７】
具体的に、例示的な方法で、ユーザはマウスを通じて、表示ページ中のフィルタリング情報を特定でき、もしスクリーンがタッチスクリーンであれば、ユーザはスクリーンをタッチするなどの方法を通じて表示ページ中のフィルタリング情報を特定できる。例えば、マウスが所定の閾値を超える時間で表示情報に留まること、所定のキーをクリックすること、所定の軌跡に沿ってスライドしたりなどの所定の操作を通じてフィルタリング情報を特定でき、ここで所定の軌跡に沿ってスライドするということは、例えば、スクリーン上で左にスライドするか、右にスライドして、フィルタリング情報を特定することを指し、スクリーンがタッチスクリーンである場合には、ユーザの指で上記マウスのような操作を実行して、フィルタリング情報を特定することになる。各情報はいずれも自己唯一の標識を持っており、標識を通じて、フィルタリングの情報を認識できる。つまり、標識だけ同じであれば、フィルタリング情報であることを確認できる。もちろん、ディスプレイ待機情報とフィルタリング情報との内容の類似性の確認を通じて、当該情報がフィルタリング情報であるかどうかを確認できる。
【００４８】
一方、ステップS２０１は、各所定のタイプの情報に対するユーザのリーディング回数またはリーディング時間を統計して、リーディング回数またはリーディング時間が所定の閾値以下であるタイプの情報をフィルタリング情報とするステップで代替できる。
【００４９】
これから分かるように、上述のように、ユーザがフィルタリング情報を自己規定する方法の以外、他の方法を通じて、情報表示装置がフィルタリング情報をセルフラーニング(self learning )でき、例えば、ユーザが特定タイプの情報に関心を感じず、毎回このようなタイプの情報をクリックして閲覧しないと統計された場合、このようなタイプの情報をフィルタリングの情報として定義する。具体的に、情報のタイトル又は内容又は発表者によって情報のタイプを特定できる。また、例えば、ユーザがある情報に留まる時間が所定の閾値より小さいと認識された場合、ユーザが当該情報に関心を持っていないことを特定して、当該情報をフィルタリング情報として見なすことができる。具体的に、実際の需要によって、フィルタリング情報を特定する方法を設定でき、ここでは、その説明を省略する。
【００５０】
一方、本実施例において、表示情報をフィルタリング情報として特定するステップは、表示情報の標識を所定のフィルタリング情報リストに保存するステップを含むことができる。
【００５１】
各表示情報はいずれも自己の標識を持っているため、標識をフィルタリング情報リストに保存してから、その後は目標情報の標識がフィルタリング情報リストに含まれているかを判断することにより、目標情報がフィルタリング情報かどうかを認識する。
【００５２】
ステップS２０２において、表示ページをトリガーして新たな情報をディスプレイするための第１命令を受信し、第１命令によりディスプレイ待機情報を特定する。
【００５３】
例示的な方法で、ユーザは、マウスまたはタッチスクリーンをタッチする方法を通じて、情報表示装置に表示ページをトリガーして新たな情報をディスプレイするための第１命令を発送できる。例えば、マウスのホイールを通じて現在のページを上下にスライドすることにより、新たな情報をディスプレイでき、又はユーザがタッチスクリーンをタッチして現在の表示ページを上下にスライドすることにより、新たな情報をディスプレイできる。新たな情報に含まれる情報の量は、一個または複数個になり得る。このような第１命令により表示される新たな情報はディスプレイ待機情報として特定される。
【００５４】
ステップS２０３において、ディスプレイ待機情報中の１番目の情報を目標情報として特定し、目標情報がフィルタリング情報であるかどうかを判断する。
【００５５】
例示的な方法で、第１命令によって、ディスプレイしようとする１番目の情報を目標情報として特定する。第１命令には、表示ページのスライディング距離とスライディング方向が含まれる可能性があるので、当該第１命令によって、どんな情報がディスプレイ待機情報なのかを知ることができる。具体的に、当該目標情報の標識とフィルタリング情報の標識が同一かどうかについての対比を通じて、当該目標情報がフィルタリング情報かどうかを特定する。
【００５６】
ステップS２０４において、目標情報がフィルタリング情報であると判断した場合、目標情報を表示ページからスライドアウトさせる。
【００５７】
目標情報を表示ページからスライドアウトさせるということは、表示ページに元来当然表示されるべき目標情報を表示ページから自動的に移出させることを指す。例えば、第１命令におけるユーザのページに対するスライディングの距離によると、当該目標情報は当然表示ページに表示されなければならないが、当該目標情報がフィルタリング情報であることを情報表示装置が認識した場合、ページを上方または下方に自動的にスライドして当該目標情報が表示ページから移出されるようにする。目標情報がフィルタリング情報でないことを判断した場合、第１命令によりディスプレイされるすべての新たな情報を正常に表示する。
【００５８】
選択可能な実施形態として、ステップS２０４の後、
ディスプレイ待機情報中の２番目の情報を目標情報に変更し、目標情報がフィルタリング情報であるかどうかを判断する操作を返して実行するが、目標情報がフィルタリング情報でないときまで判断して、目標情報を表示ページにディスプレイするステップをさらに含む。
【００５９】
同じ第１命令によりディスプレイされる新たな情報は、複数の情報を含めることができるので、各ディスプレイ待機情報がフィルタリング情報であるかどうかを順次判断して、フィルタリング情報でないディスプレイ待機情報を見つける際に、当該ディスプレイ待機情報を表示する。
【００６０】
本実施例の情報表示方法によると、フィルタリング情報を認識し出した後、フィルタリング情報の標識をフィルタリング情報リストに保存することにより、ディスプレイ待機情報中の１番目の情報の標識がフィルタリング情報リストに存在するかどうかを特定することを通じて、当該１番目の情報がフィルタリング情報であるかどうかを判断し、判断結果がフィルタリング情報である場合、１番目の情報を表示ページから自動的にスライドアウトさせてユーザに見えないようにする。これで、ユーザが関心を持っていない内容を効果的にフィルタリングすることができ、ユーザの時間を節約し、情報を遮断するのとは違い、本実施形態の情報を表示する方法は、情報リストの漏れをもたらさない。
【００６１】
図３は、もう一つの例示的な実施例に係る情報の表示方法のフローチャートであり、その実行の主体は、情報表示装置である。図３に示すように、本実施例に係る情報表示方法は、端末またはサーバーに適用され、以下のようなステップを含んでいる。
【００６２】
ステップS３０１において、フィルタリング情報を取得する。
【００６３】
ユーザはフィルタリング情報を自己規定でき、例えば、スクリーンの現在の表示ページで対応されるフィルタリング情報を取得する。現在の表示ページは、現在のスクリーンに表示されているページであり、現在の表示ページの各情報は、ユーザが現在のスクリーンから見られる各情報である。
【００６４】
具体的に、例示的な方法で、ユーザはマウスを通じて、現在表示ページの対応するフィルタリング情報を特定でき、もしスクリーンがタッチスクリーンであれば、ユーザはスクリーンをタッチするなどの方法を通じて表示ページ中のフィルタリング情報を特定できる。例えば、マウスが所定の閾値を超える時間で表示情報に留まること、所定のキーをクリックすること、所定の軌跡に沿ってスライドしたりなどの所定の操作を通じてフィルタリング情報を特定でき、ここで所定の軌跡に沿ってスライドするということは、例えばスクリーン上で左にスライドするか、右にスライドすることを指し、又は、スクリーンがタッチスクリーンである場合には、ユーザの指で上記マウスのような操作を実行して、フィルタリング情報を特定できるようになる。各情報はいずれも自己唯一の標識を持っており、標識を通じて、フィルタリングの情報を認識できる。つまり、標識だけ同じであれば、フィルタリング情報であることを確認できる。もちろん、新たな情報とフィルタリング情報との内容の類似性の確認を通じて、当該情報がフィルタリング情報であるかどうかを確認できる。
【００６５】
一方、上述のように、ユーザがフィルタリング情報を自己規定する方法の以外に、他の方法を通じて、情報表示装置がフィルタリング情報をセルフラーニング(self learning )できる。つまり、選択可能な形態として、各所定のタイプの情報に対するユーザのリーディング回数またはリーディング時間を統計して、リーディング回数またはリーディング時間が所定の閾値以下であるタイプの情報をフィルタリング情報と見なす。例えば、ユーザが特定タイプの情報に関心を感じず、毎回このようなタイプの情報をクリックして閲覧しないと統計された場合、このようなタイプの情報をフィルタリングの情報として定義する。具体的に、情報のタイトル又は内容又は発表者によって情報のタイプを特定できる。また、例えば、ユーザがある情報に留まる時間が所定の閾値、例えば、２秒よりも小さいと認識された場合、ユーザが当該情報に関心を持っていないことを特定して、当該情報をフィルタリング情報として見なすことができる。具体的に、実際の需要によって、フィルタリング情報を特定する方法を設定でき、ここでは、その説明を省略する。
【００６６】
ステップS３０２において、表示ページをトリガーして新たな情報をディスプレイするための第１命令を受信し、第１命令によりディスプレイ待機情報を特定する。
【００６７】
例示的な方法で、ユーザは、マウスまたはタッチスクリーンをタッチする方法を通じて、情報表示装置に表示ページをトリガーして新たな情報をディスプレイするための第１命令を発送できる。例えば、マウスのホイールを通じて現在のページを上下にスライドすることにより、新たな情報をディスプレイでき、又はユーザがタッチスクリーンをタッチして現在の表示ページを上下にスライドすることにより、新たな情報をディスプレイできる。新たな情報に含まれる情報の量は、一個または複数個になり得る。このような第１命令により表示される新たな情報はディスプレイ待機情報として特定される。
【００６８】
ステップS３０３において、ディスプレイ待機情報中の１番目の情報を目標情報として特定し、目標情報がフィルタリング情報であるかどうかを判断する。
【００６９】
例示的な方法で、第１命令によって、ディスプレイしようとする１番目の情報を目標情報として特定する。第１命令には、表示ページのスライディング距離とスライディング方向が含まれる可能性があるので、当該第１命令によって、どんな情報がディスプレイ待機情報なのかを知ることができる。具体的に、当該目標情報の標識とフィルタリング情報の標識が同一かどうかについての対比を通じて、当該目標情報がフィルタリング情報かどうかを特定する。
【００７０】
ステップS３０４において、目標情報がフィルタリング情報であり、且つ前記第１命令が表示ページを上方スライドするものと判断されると、第１情報を表示ページから上方スライドアウトさせ、目標情報がフィルタリング情報であり、且つ前記第１命令が表示ページを下方スライドするものと判断されると、第１情報を表示ページから下方スライドアウトさせる。
【００７１】
目標情報を表示ページからスライドアウトさせるということは、表示ページに元来当然表示されるべき目標情報を表示ページから自動的に移出させることを指す。例えば、第１命令におけるユーザのページに対するスライディングの距離によると、当該目標情報は当然表示ページに表示されなければならないが、当該目標情報がフィルタリング情報であることを情報表示装置が認識した場合、ページを上方または下方に自動的にスライドして当該目標情報が表示ページから移出されるようにする。目標情報がフィルタリング情報でないことを判断した場合、第１命令によりディスプレイされるすべての新たな情報を正常に表示する。
【００７２】
ステップS３０５において、表示ページをトリガーして新たな情報をディスプレイするための第２命令を受信し、第２命令における表示ページのスライド方向が第１命令における表示ページのスライド方向と反対されるかどうかを判断して、第２命令における表示ページのスライド方向が第１命令における表示ページのスライド方向と反対になると判断した場合、第２命令と第１命令間の時間差が所定の閾値内にあるかどうかを判断し、第２命令と第１命令間の時間差が所定の閾値内にあると判断されれば、表示ページに目標情報を表示する。
【００７３】
例示的な方法で、ある場合には、ユーザが特定の情報をフィルタリング情報として特定したが、ユーザが長い時間見なかったか、または、相応の需要が生じて再度閲覧する必要がある状況が発生することがあり、この場合、ユーザは、これらの情報を改めて見た後、再び閲覧したくなることがある。本実施例の情報表示方法によると、ユーザが表示ページをスライドして新たな情報を表示する時、フィルタリング情報が正常に表示されるが、自動的に表示ページからスライドアウトされるため、この過程で、ユーザは、フィルタリング情報の一部内容を見ることができるようになり、したがって、再び関心を感じたり、ちょうど必要な場合、すぐ反対方向に表示画面をスライドすることで、表示ページにフィルタリング情報が再度表示されるようにする。これで、第１命令と第２命令間の時間間隔が非常に短くなり、したがって、時間間隔が所定の閾値内にあると、ユーザがフィルタリング情報を再閲覧したいことが判断でき、画面の目標情報、即ちフィルタリング情報を表示することになる。
【００７４】
本実施例の所定の閾値は、実際の状況に応じて設定でき、例えば、１秒、２秒などに設定できる。
【００７５】
選択可能な実施形態として、ステップS３０４の後、
ディスプレイ待機情報中の２番目の情報を目標情報に変更し、目標情報がフィルタリング情報であるかどうかを判断する操作を返して実行するが、目標情報がフィルタリング情報でないときまで判断して、目標情報を表示ページにディスプレイするステップをさらに含む。
【００７６】
同じ第１命令によりディスプレイされる新たな情報は、複数の情報を含めることができるので、各ディスプレイ待機情報がフィルタリング情報であるかどうかを順次判断して、フィルタリング情報でないディスプレイ待機情報を見つける際に、当該ディスプレイ待機情報を表示する。
【００７７】
本実施例の情報表示方法によると、フィルタリング情報を特定することを通じて、ディスプレイ待機情報中の１番目の情報がフィルタリング情報であるの場合、１番目の情報をスクリーンから自動的にスライドアウトさせてユーザに見えないようにする。これで、ユーザが関心を持っていない内容を効果的にフィルタリングすることができ、ユーザの時間を節約できる。また、ユーザがフィルタリング情報を再度閲覧しようとする場合、反対方向に表示ページをスライドするだけで十分なので、ユーザの使用を最大限気楽にできる。
【００７８】
以下、上述のような情報表示方法を、例をあげて、具体的に説明する。 本実施例のスクリーンはタッチスクリーンであり、ユーザは指を通じて当該スクリーンをタッチすることにより、制御命令を発送する。
【００７９】
図４Aはスクリーン４００の現在の表示ページを図示し、情報４０１は、ユーザによって、フィルタリング情報として表記された。具体的に、ユーザが当該情報４０１を長く押すと、図４Aに示すような図表が表示され、図表中の一つの事項は、「フィルタリング情報として設定」であり、ユーザがこれを選択すると、情報表示装置は、当該情報４０１の標識を所定のフィルタリング情報リストに追加する。
【００８０】
図４Bに示すように、ユーザが表示ページを上方にスライドすると、スライドする距離によってディスプレイされる情報には、４つの情報が含まれる。ディスプレイ待機情報中の１番目の情報４０２は目標情報であり、ここで、当該１番目の情報４０２をフィルタリング情報として仮定する場合、ユーザが発送した第１命令はページを上方にスライドさせる距離が５cmであり、スクリーン４００の長さは１０cmであっても、情報表示装置は、１番目の情報４０２が表示ページからスライドアウトされるまでページを続けて自動的に上方にスライドさせる。この時、図４Cに示すように、スクリーン４００の最上段には、新たにディスプレイされた２番目の情報４０３が位置される。
【００８１】
図４Dに示すように、情報表示装置は、２番目の情報４０３がフィルタリング情報であるかどうかを判断し、判断結果は当該２番目の情報４０３がフィルタリング情報である場合、表示装置は、やはり２番目の情報４０３が表示ページからスライドアウトされるまでページを続けて自動的に上方にスライドさせ、この時、スクリーン４００の最上段には、新たにディスプレイされた３番目の情報４０４が位置される。ここで説明しようとするのは、２番目の情報４０３がフィルタリング情報であるかどうかを判断する操作は、１番目の情報４０２がフィルタリング情報であることを判断し出した後すぐ進めることができ、この場合、１番目の情報４０２と２番目の情報４０３が表示ページから順次に連続スライドアウトされることを実際に見ることができる。判断を経て、当該３番目の情報４０４がフィルタリング情報でない場合、スクリーン４００に３番目の情報４０４を表示し、これで、新たにディスプレイされた４番目の情報４０５がフィルタリング情報であっても、この時やはり表示ページに正常に表示して、表示情報リストの完全性を維持し、これからユーザは自己の需要によってフィルタリング情報を再び見るかどうかを簡単に特定できる。もちろん、１番目の情報４０２と２番目の情報４０３が全て表示ページから自動的上方にスライドアウトされたので、５番目の情報４０６と６番目の情報４０７も表示される。すなわち、ユーザが発送した第１命令は表示ページを上方に５cmの距離を移動させるものであるが、本実施例の情報表示方法によると、表示ページの上方移動距離は５cmを超えることになる。
【００８２】
２番目の情報４０３が表示ページからスライドアウトする前、短時間内にユーザが２番目の情報４０３の関連内容を閲覧してからまた見たくて、ページを下方にスライドして２番目の情報４０３を表示したと仮定する。情報表示装置が第２命令と第１命令間の時間間隔が２秒として所定の閾値を超過しないと判断すると、第２命令によりディスプレイされた新たな情報に１つの情報が含まれる場合、表示ページに１つの情報を表示し、つまり２番目の情報４０３はスクリーン４００の最上段に表示される。または、図４Eに示すように、第２命令によりディスプレイされた新たな情報に２つの情報が含まれる場合、表示ページに２つの情報を表示し、つまり２番目の情報４０３と１番目の情報４０２が全て表示ページに表示される。
【００８３】
図５は、一つの例示的な実施例に係る情報の表示装置のブロック図である。図５に示すように、上記装置は、取得モジュール５０１、第１受付モジュール５０２、配置モジュール５０３、第１判断モジュール５０４とフィルタリングモジュール５０５を含む。
【００８４】
その中で、取得モジュール５０１は、フィルタリング情報を取得するように構成され、第１受付モジュール５０２は、表示ページをトリガーして新たな情報をディスプレイするための第１命令を受信し、第１命令よりディスプレイ待機情報を特定するように構成され、配置モジュール５０３は、ディスプレイ待機情報中の１番目の情報を目標情報として特定するように構成され、第１判断モジュール５０４は、目標情報がフィルタリング情報であるかどうかを判断し、目標情報がフィルタリング情報であると判断した場合、フィルタリングモジュール５０５をトリガーするように構成され、フィルタリングモジュール５０５は、目標情報を表示ページからスライドアウトさせるように構成される。
【００８５】
選択可能な形態として、配置モジュール５０３は、ディスプレイ待機情報中の２番目の情報を目標情報に変更し、目標情報がフィルタリング情報であるかどうかを判断する操作を返して実行するが、目標情報がフィルタリング情報でないときまで判断して、目標情報を表示ページにディスプレイするように構成される。上記配置モジュール５０３は、表示情報の標識を所定のフィルタリング情報リストに保存するように構成される。
【００８６】
選択可能な形態として、本実施例の取得モジュール５０１は、現在の表示ページの表示情報中で、所定の操作を実施することを認識した場合、表示情報をフィルタリング情報として特定するように構成される。上記取得モジュール５０１は、また、各所定のタイプの情報に対するユーザのリーディング回数またはリーディング時間を統計して、リーディング回数またはリーディング時間が所定の閾値以下であるタイプの情報をフィルタリング情報とするように構成される。
【００８７】
選択可能な形態として、上記所定の操作は、表示情報上に留まる時間が所定の閾値を超えたり、所定のキーをクリックすること、所定の軌跡に沿ってスライドしたりなどの操作中の少なくとも一つを含む。
【００８８】
選択可能な形態として、フィルタリングモジュール５０５は、目標情報がフィルタリング情報であり、且つ新たな情報をディスプレイするように受信した第１命令が表示ページを上方にスライドするものと判断されると、目標情報を表示ページから上方にスライドアウトさせ、目標情報がフィルタリング情報であり、且つ新たな情報をディスプレイするように受信した第１命令が表示ページを下方にスライドするものと判断されると、目標情報を表示ページから下方にスライドアウトさせるように構成される。
【００８９】
本実施例に係る装置において、それぞれのモジュールが操作を行う具体的な形態については、該当する方法実施例において既に詳細に説明を行っているので、ここではその詳細な説明を省略することにする。
【００９０】
本実施例の情報表示装置によると、フィルタリング情報を特定することを通じて、ディスプレイ待機情報中の１番目の情報がフィルタリング情報であるの場合、１番目の情報をスクリーンから自動的にスライドアウトさせてユーザに見えないようにする。これで、ユーザが関心を持っていない内容を効果的にフィルタリングすることができ、ユーザの時間を節約し、情報を遮断するのとは違い、本実施形態の情報を表示する方法は、情報リストの漏れをもたらさない。
【００９１】
図６は、もう一つの例示的な実施例に係る情報の表示装置のブロック図である。図６に示すように、上記装置は、取得モジュール５０１、第１受付モジュール５０２、配置モジュール５０３、第１判断モジュール５０４とフィルタリングモジュール５０５を含み、また第２判断モジュール６０１をさらに含む。上記第２判断モジュール６０１は、
新たな情報をディスプレイするようにする第２命令を受信し、
第２命令における表示ページのスライド方向が第１命令における表示ページのスライド方向と反対されるかどうかを判断し、
第２命令における表示ページのスライド方向が第１命令における表示ページのスライド方向と反対になると判断した場合、第２命令と第１命令間の時間差が所定の閾値内にあるかどうかを判断し、
第２命令と第１命令間の時間差が所定の閾値内にあると判断されれば、表示ページに目標情報を表示するように構成される。
【００９２】
本実施例に係る装置において、それぞれのモジュールが操作を行う具体的な形態については、該当する方法実施例において既に詳細に説明を行っているので、ここではその詳細な説明を省略することにする。
【００９３】
本実施例の情報表示装置によると、フィルタリング情報を特定することを通じて、ディスプレイ待機情報中の１番目の情報がフィルタリング情報であるの場合、１番目の情報をスクリーンから自動的にスライドアウトさせてユーザに見えないようにする。これで、ユーザが関心を持っていない内容を効果的にフィルタリングすることができ、ユーザの時間を節約できる。また、ユーザがフィルタリング情報を再度閲覧しようとする場合、反対方向に表示ページをスライドするだけで十分なので、ユーザの使用を最大限気楽にできる。
【００９４】
図７は、もう一つの例示的な実施例に係る情報の表示装置のブロック図である。例えば、装置７００は、携帯電話、コンピュータ、デジタル放送端末、メッセージ送受信機、ゲーム機、タブレットデバイス、医療機器、フィットネス設備、ＰＤＡ（Ｐｅｒｓｏｎａｌ  Ｄｉｇｉｔａｌ  Ａｓｓｉｓｔａｎｔ）等であってもよい。
【００９５】
図７に示すように、装置７００は、処理アセンブリ７０２、メモリ７０４、電力アセンブリ７０６、マルチメディアアセンブリ７０７、オーディオアセンブリ７１０、入力／出力（Ｉ／Ｏ）インターフェース７１２、センサアセンブリ７１４及び通信アセンブリ７１６からなる群から選ばれる少なくとも１つを備えてもよい。
【００９６】
処理アセンブリ７０２は、一般的には、装置７００の全体の操作、例えば、表示、電話呼び出し、データ通信、カメラ操作及び記録操作に関連する操作を制御する。処理アセンブリ７０２は、上述の方法におけるステップの一部又は全部を実現できるように、命令を実行する少なくとも１つのプロセッサ７２０を備えてもよい。なお、処理アセンブリ７０２は、他のアセンブリとのインタラクションの便宜上、少なくとも１つのモジュールを備えてもよい。例えば、処理アセンブリ７０２は、マルチメディアアセンブリ７０７とのインタラクションの便利を図るために、マルチメディアモジュールを備えてもよい。
【００９７】
メモリ７０４は、装置７００における操作を支援するための、各種のデータを記憶するように構成される。これらのデータの例として、装置７００において操作される何れのアプリケーション又は方法に関する命令、連絡先データ、電話帳データ、メッセージ、画像、ビデオ等を含む。メモリ７０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。
【００９８】
電力アセンブリ７０６は、装置７００の各種アセンブリに電力を供給するためのものであり、電源管理システム、１つ又は複数の電源、及び装置７００のために電力を生成、管理及び分配することに関連のある他のアセンブリを備えてもよい。
【００９９】
マルチメディアアセンブリ７０７は、装置７００とユーザとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。何れかの実施例において、マルチメディアアセンブリ７０７は、フロントカメラ及び／又はバックカメラを備えてもよい。装置７００が、例えば撮影モードやビデオモードのような操作モードにある場合、フロントカメラ及び／又はバックカメラは外部からのマルチメディアデータを受信できる。フロントカメラ及びバックカメラのそれぞれは、固定の光学レンズ系であってもよいし、可変の焦点距離及び光学ズーム機能を有するものであってもよい。
【０１００】
オーディオアセンブリ７１０は、オーディオ信号を出力及び／又は入力するように構成される。例えば、オーディオアセンブリ７１０は、マイクロフォン（ＭＩＣ）を有してもよい。装置７００が、例えば呼び出しモード、記録モード又は音声認識モードのような操作モードにある場合、マイクロフォンは外部のオーディオ信号を受信するように構成される。受信されたオーディオ信号は、メモリ７０４に記憶されてもよく、通信アセンブリ７１６を介して送信されてもよい。何れかの実施例において、オーディオアセンブリ７１０は、オーディオ信号を出力するためのスピーカをさらに備えてもよい。
【０１０１】
Ｉ／Ｏインターフェース７１２は、処理アセンブリ７０２と周辺インターフェースモジュールとの間にインターフェースを提供するためのものである。前記周辺インターフェースモジュールは、キーボード、クリックホイール、ボタン等であってもよい。これらのボタンは、ホームボタン、音量ボタン、スタートボタン、ロックボタンであってもよいが、それらに限らない。
【０１０２】
センサアセンブリ７１４は、装置７００のために各方面の状態評価を提供するための少なくとも１つのセンサを備えてもよい。例えば、センサアセンブリ７１４は、装置７００のオン／オフ状態や、アセンブリの相対的な位置を検出することができる。例えば、前記アセンブリが装置７００のディスプレイ及びキーパッドである場合、センサアセンブリ７１４は、装置７００又は装置７００の１つのアセンブリの位置の変化や、ユーザと装置７００との接触の有無や、装置７００の方位又は加速／減速や、装置７００の温度変化を検出することができる。センサアセンブリ７１４は、何れの物理的接触もない状況にて付近の物体の有無を検出できるように構成される近接センサを含んでもよい。センサアセンブリ７１４は、さらに、画像表示技術分野に用いられる光センサ、例えばＣＭＯＳ又はＣＣＤ画像センサを含んでもよい。何れかの実施例において、当該センサアセンブリ７１４は、さらに、加速度センサ、ジャイロスコープセンサ、磁気センサ、圧力センサ又は温度センサを含んでもよい。
【０１０３】
通信アセンブリ７１６は、装置７００と他の設備との間の無線又は有線通信が便利になるように構成される。装置７００は、通信標準に基づく無線ネットワーク、例えばＷｉＦｉ、２Ｇ又は３Ｇ、又はそれらの組み合わせにアクセスできる。１つの例示的な実施例において、通信アセンブリ７１６は、ブロードキャストチャネルを介して外部のブロードキャスト管理システムからのブロードキャスト信号又はブロードキャストに関する情報を受信することができる。１つの例示的な実施例において、前記通信アセンブリ７１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ（登録商標））技術及び他の技術により実現されてもよい。
【０１０４】
例示的な実施例において、装置７００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１０５】
例示的な実施例において、さらに、装置７００のプロセッサ７２０により実行されることにより上述の方法を実現可能な命令が記憶され、且つコンピュータに読み取り可能な不揮発性の記録媒体、例えば命令が記憶されているメモリ７０４を提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【０１０６】
コンピュータに読み取り可能な不揮発性の記録媒体であって、
移動端末のプロセッサが前記記録媒体中の命令を実行することにより、端末機器に、情報表示方法を実行させ、
前記方法は、
フィルタリング情報を取得するステップと、
表示ページをトリガーして新たな情報をディスプレイするための第１命令を受信し、第１命令によりディスプレイ待機情報を特定するステップと、
ディスプレイ待機情報中の１番目の情報を目標情報として特定し、目標情報がフィルタリング情報であるかどうかを判断するステップと、
目標情報がフィルタリング情報であると判断した場合、目標情報を表示ページからスライドアウトさせるステップとを含む、
記録媒体を提供する。
【０１０７】
当業者であれば、本願明細書を参照し、本願明細書に開示された発明を実施することにより、本発明の他の実施形態を容易に取得することができる。本願は、本発明の一般的な原理を遵守し且つ本願明細書に開示されていない当該技術分野の公知知識又は通常の技術手段を含む本発明に対する任意の変形、用途又は適応的な変更を含むことを趣旨とする。明細書及び実施例は、単に例示的なものに過ぎず、本発明の本当の範囲及び趣旨は添付される特許請求の範囲により示される。
【０１０８】
なお、本発明は、上述の説明及び図面により示された特定の構成に限定されず、その範囲を離脱しない範囲で、様々な補正及び変更を実施してもよい。本発明の範囲は、添付される特許請求の範囲のみにより限定される。
【０１０９】
本発明は、出願番号がＣＮ２０１５１０７９１９２４．２であって、出願日が２０１５年１１月１７日である中国特許出願に基づき優先権を主張し、当該中国特許出願のすべての内容を本願に援用する。
【図１】
0006393840.tif 000002
【図２】
0006393840.tif 000003
【図３】
0006393840.tif 000004
【図４Ａ】
0006393840.tif 000005
【図４Ｂ】
0006393840.tif 000006
【図４Ｃ】
0006393840.tif 000007
【図４Ｄ】
0006393840.tif 000008
【図４Ｅ】
0006393840.tif 000009
【図５】
0006393840.tif 000010
【図６】
0006393840.tif 000011
【図７】
0006393840.tif 000012